(57)【要約】【課題】作業者が一側端部の鉄筋トラス付きデッキプレートの鉄筋トラス上を歩行しても、鉄筋トラスが押し倒されたり、隣の鉄筋トラス付きデッキプレートとの繋ぎ部分が外れて全体が転倒したりすることがないようにする。【解決手段】複数の鉄筋トラス付きデッキプレート１，１Ｒを横並びに連ねて床構造材が形成される。鉄筋トラス３，３Ｒの上端筋３０，３０Ｒ間には鉄筋架設具４が複数架設される。鉄筋架設具４はアーム５の両端部に上端筋３０，３０Ｒと係脱が可能な第１、第２の各係合部６，７を備えている。第１の係合部６は、上端筋３０Ｒの直径に合わせた溝幅と鉄筋の直径より大きな溝深さとを有するＵ字溝により構成される。第２の係合部７は、アーム５の長さ方向と直交しかつ第１の係合部６と直角をなす方向へ螺旋を巻く鉄筋の直径に合わせた孔径とピッチとを有する螺旋孔により構成される。【選択図】図１
2011026820.tif 000002
【特許請求の範囲】
【請求項１】
複数の鉄筋トラス付きデッキプレートを横並びに連ねることにより、連なった基板上に複数の鉄筋トラスが並行に配列されるとともに、隣り合う所定の鉄筋トラスの鉄筋間に、１本の金属棒の両端部を曲げて形成された鉄筋架設具が複数架設されて成り、
各鉄筋架設具は、鉄筋トラスの配列間隔に応じた長さのアームの両端部に前記鉄筋と係脱可能な第１、第２の各係合部を備えており、第１の係合部は、鉄筋の直径に合わせた溝幅と鉄筋の直径より大きな溝深さとを有するＵ字溝により構成され、第２の係合部は、アームの長さ方向と直交しかつ第１の係合部と直角をなす方向へ螺旋を巻く鉄筋の直径に合わせた直径とピッチとを有する螺旋孔により構成されて成る床構造材。
【請求項２】
複数の鉄筋トラス付きデッキプレートを横並びに連ねることにより、連なった基板上に複数の鉄筋トラスが並行に配列されるとともに、隣り合う所定の鉄筋トラスの鉄筋間に、互いに平行な折曲部を有するコ字型の２本の金属棒を長さ方向へずらせた状態で一体接合して形成された鉄筋架設具が複数架設されて成り、
各鉄筋架設具は、鉄筋トラスの配列間隔に応じた長さのアームの両端部に前記鉄筋と係脱可能な係合部を備えており、各係合部は、一体接合された各金属棒の折曲部間にそれぞれ形成された鉄筋の直径に合わせた溝幅と鉄筋の直径より大きな溝深さとを有する矩形溝により構成されて成る床構造材。
【請求項３】
複数の鉄筋トラス付きデッキプレートを横並びに連ねることにより、連なった基板上に複数の鉄筋トラスが並行に配列されて成る床構造材において、隣り合う所定の鉄筋トラスの鉄筋間に架設される鉄筋架設具であって、
１本の金属棒の両端部を曲げることにより形成され鉄筋トラスの配列間隔に応じた長さのアームの両端部に前記鉄筋と係脱可能な第１、第２の各係合部を備えており、第１の係合部は、鉄筋の直径に合わせた溝幅と鉄筋の直径より大きな溝深さとを有するＵ字溝により構成され、第２の係合部は、アームの長さ方向と直交しかつ第１の係合部と直角をなす方向へ螺旋を巻く鉄筋の直径に合わせた直径とピッチとを有する螺旋孔により構成されて成る鉄筋架設具。
【請求項４】
複数の鉄筋トラス付きデッキプレートを横並びに連ねることにより、連なった基板上に複数の鉄筋トラスが並行に配列されて成る床構造材において、隣り合う所定の鉄筋トラスの鉄筋間に架設される鉄筋架設具であって、
互いに平行な折曲部を有するコ字型の２本の金属棒を長さ方向へずれさせた状態で一体接合して形成され鉄筋トラスの配列間隔に応じた長さのアームの両端部に前記鉄筋と係脱可能な係合部を備えており、各係合部は、一体接合された各金属棒の折曲部間にそれぞれ形成された鉄筋の直径に合わせた溝幅と鉄筋の直径より大きな溝深さとを有する矩形溝により構成されて成る鉄筋架設具。
【発明の詳細な説明】
【技術分野】
【０００１】
この発明は、複数の鉄筋トラス付きデッキプレートにより構成される床構造材と、鉄筋コンクリートスラブを構築する際に用いられる鉄筋架設具とに関する。
【背景技術】
【０００２】
その種の床構造材は、横並びに連ねられた複数の鉄筋トラス付きデッキプレートが横架材（梁または梁型枠）の間に架け渡されて成るものである。図１０に示す鉄筋トラス付きデッキプレート１は、両側縁に全長にわたる継手部１０，１０が形成され、この継手部１０を介して隣りの鉄筋トラス付きデッキプレート１と繋ぎ合わされる（例えば特許文献１参照）。
【先行技術文献】
【特許文献】
【０００３】
【特許文献１】特開２００７−１７０１６１号公報
【０００４】
図示の鉄筋トラス付きデッキプレート１は、決められた幅Ｄを有する金属製の基板２上に３本の鉄筋トラス３が並設されている。各鉄筋トラス３は、図１１に示すように、互いに平行な上端筋３０と下端筋３１とを含み、波形状のラチス筋３２が上端筋３０および下端筋３１を連結している。ラチス筋３２は、基板２に垂直な面に沿って山と谷とが交互に繰り返す。上端筋３０はラチス筋３２の頂部に、下端筋３１はラチス筋３２の谷底部に、それぞれスポット溶接されている。各鉄筋トラス３は、複数の吊り筋３３に固着され吊持されている。各鉄筋トラス３はコンクリートの重量をはじめとする荷重を支持して両端の端部材（図示せず）に伝達する。両端の端部材は上端部が鉄筋トラス３の上端筋３０に、下端部が下端筋３１に、それぞれ固着されている。
【０００５】
構築する床の幅が基板２の幅Ｄの整数倍でないとき、図１２に示すように、一側端部の鉄筋トラス付きデッキプレート１Ｒは他の鉄筋トラス付きデッキプレート１より短い幅のものが用いられる。図示の一側端部の鉄筋トラス付きデッキプレート１Ｒは、１本の鉄筋トラス３Ｒを残した所定の幅ｄ（ｄ＜Ｄ）に鉄筋トラス付きデッキプレート１の基板２および各吊り筋３３が切断されたものである。
【発明の概要】
【発明が解決しようとする課題】
【０００６】
鉄筋コンクリート床スラブを構築する作業において、作業者は鉄筋トラス３，３Ｒの上端筋３０，３０Ｒ上を歩行する。しかし、一側端部の鉄筋トラス付きデッキプレート１Ｒは、幅が短く不安定であるため、その鉄筋トラス３Ｒの上端筋３０Ｒ上を歩行すると、鉄筋トラス３Ｒが押し倒されたり、隣の鉄筋トラス付きデッキプレート１との繋ぎ部分が外れて全体が転倒したりするおそれがあり、甚だ危険である。
【０００７】
この発明は、上記した問題に着目してなされたもので、作業者が一側端部の鉄筋トラス付きデッキプレートの鉄筋トラス上を歩行しても、鉄筋トラスが押し倒されたり、隣の鉄筋トラス付きデッキプレートとの繋ぎ部分が外れて全体が転倒したりすることがない床構造材と、鉄筋コンクリート床スラブを構築する際に用いられる鉄筋架設具とを提供することを目的とする。
【課題を解決するための手段】
【０００８】
この発明による床構造材は、複数の鉄筋トラス付きデッキプレートを横並びに連ねることにより、連なった基板上に複数の鉄筋トラスが並行に配列されるとともに、隣り合う所定の鉄筋トラスの鉄筋間に、１本の金属棒の両端部を曲げて形成された鉄筋架設具が複数架設されて成る。各鉄筋架設具は、鉄筋トラスの配列間隔に応じた長さのアームの両端部に前記鉄筋と係脱可能な第１、第２の各係合部を備えている。第１の係合部は、鉄筋の直径に合わせた溝幅と鉄筋の直径より大きな溝深さとを有するＵ字溝により構成される。第２の係合部は、アームの長さ方向と直交しかつ第１の係合部と直角をなす方向へ螺旋を巻く鉄筋の直径に合わせた孔径とピッチとを有する螺旋孔により構成される。
【０００９】
上記した床構造材の発明を鉄筋架設具の観点から規定すると、次のように表現される。すなわち、この発明による鉄筋架設具は、複数の鉄筋トラス付きデッキプレートを横並びに連ねることにより、連なった基板上に複数の鉄筋トラスが並行に配列されて成る床構造材において、隣り合う所定の鉄筋トラスの鉄筋間に架設されるものであって、１本の金属棒の両端部を曲げることにより形成され、鉄筋トラスの配列間隔に応じた長さのアームの両端部に前記鉄筋と係脱可能な第１、第２の各係合部を備えている。第１の係合部は、鉄筋の直径に合わせた溝幅と鉄筋の直径より大きな溝深さとを有するＵ字溝により構成される。第２の係合部は、アームの長さ方向と直交しかつ第１の係合部と直角をなす方向へ螺旋を巻く鉄筋の直径に合わせた孔径とピッチとを有する螺旋孔により構成される。
【００１０】
床構造材の構築に際し、複数の鉄筋トラス付きデッキプレートを横並びに連ねると、連なった基板上に複数の鉄筋トラスが並列に配列されるが、例えば、幅の短い一側端部の鉄筋トラス付きデッキプレートの鉄筋トラスの鉄筋と隣の鉄筋トラス付きデッキプレートの鉄筋トラスの鉄筋との間には複数の鉄筋架設具を架設する。
鉄筋架設具を架設するには、まず、第２の係合部を一方の鉄筋トラスの鉄筋に係合させる。第２の係合部の螺旋孔は孔径とピッチを鉄筋の直径に合わせているので、螺旋孔に鉄筋を導入して係入することが可能であり、これにより、鉄筋が螺旋孔を貫通し、アームは鉄筋と直交する。このとき、第１の係合部は隣の鉄筋トラスの上方に位置し、Ｕ字溝が鉄筋に対向している。第２の係合部が係合した鉄筋を軸としてアームを回動させると、Ｕ字溝に鉄筋が入り込み、鉄筋と第１の係合部とが係合する。
【００１１】
隣り合う鉄筋トラスの鉄筋間に複数の鉄筋架設具が架設された状態では、鉄筋架設具により隣り合う鉄筋トラスが互いに拘束されるとともに、各鉄筋架設具のアームは、長さ方向に沿って圧縮方向や引張方向の荷重が作用しても協働して耐える。したがって、作業者が一側端部の短い幅の鉄筋トラス付きデッキプレートの鉄筋トラスの鉄筋上を歩行しても、鉄筋トラスが押し倒されたり、隣の鉄筋トラス付きデッキプレートとの繋ぎ部分が外れて全体が転倒したりするのが防止される。
【００１２】
この発明による他の床構造材は、複数の鉄筋トラス付きデッキプレートを横並びに連ねることにより、連なった基板上に複数の鉄筋トラスが並列に配列されるとともに、隣り合う所定の鉄筋トラスの鉄筋間に、互いに平行な折曲部を有するコ字型の２本の金属棒を長さ方向へずらせた状態で一体接合して形成された鉄筋架設具が複数架設されて成る。各鉄筋架設具は、鉄筋トラスの配列間隔に応じた長さのアームの両端部に前記鉄筋と係脱可能な係合部を備えている。各係合部は、一体接合された各金属棒の折曲部間にそれぞれ形成された鉄筋の直径に合わせた溝幅と鉄筋の直径より大きな溝深さとを有する矩形溝により構成される。
【００１３】
上記した床構造材の発明を鉄筋架設具の観点から規定すると、次のように表現される。すなわち、この発明による鉄筋架設具は、複数の鉄筋トラス付きデッキプレートを横並びに連ねることにより、連なった基板上に複数の鉄筋トラスが並列に配列されて成る床構造材において、隣り合う所定の鉄筋トラスの鉄筋間に架設されるものであり、  互いに平行な折曲部を有するコ字型の２本の金属棒を長さ方向へずれさせた状態で一体接合して形成され鉄筋トラスの配列間隔に応じた長さのアームの両端部に前記鉄筋と係脱可能な係合部を備えている。各係合部は、一体接合された各金属棒の折曲部間にそれぞれ形成された鉄筋の直径に合わせた溝幅と鉄筋の直径より大きな溝深さとを有する矩形溝により構成される。
【００１４】
床構造材の構築に際し、複数の鉄筋トラス付きデッキプレートを横並びに連ねると、連なった基板上に複数の鉄筋トラスが所定の間隔で配列されるが、例えば、幅が短い一側端部の鉄筋トラス付きデッキプレートの鉄筋トラスの鉄筋と隣の鉄筋トラス付きデッキプレートの鉄筋トラスの鉄筋との間には複数の鉄筋架設具を架設する。
鉄筋架設具を架設するには、隣り合う鉄筋トラスの鉄筋の上方に各係合部をそれぞれ位置させた後、鉄筋架設具を下方へ移動させる。これにより、各係合部の矩形溝に各鉄筋が入り込み、各鉄筋と各係合部とが係合する。
【００１５】
隣り合う鉄筋トラスの鉄筋間に複数の鉄筋架設具が架設された状態では、鉄筋架設具により隣り合う鉄筋トラスが互いに拘束されるとともに、各鉄筋架設具のアームは、長さ方向に沿って圧縮方向や引張方向の荷重が作用しても協働して耐える。したがって、作業者が一側端部の短い幅の鉄筋トラス付きデッキプレートの鉄筋トラスの鉄筋上を歩行しても、鉄筋トラスが押し倒されたり、隣の鉄筋トラス付きデッキプレートとの繋ぎ部分が外れて全体が転倒したりするのが防止される。
【発明の効果】
【００１６】
この発明によれば、鉄筋コンクリート床スラブを構築する作業において、作業者がたとえ幅が短い一側端部の鉄筋トラス付きデッキプレートの鉄筋トラス上を歩行しても、鉄筋トラスが押し倒されたり、隣の鉄筋トラス付きデッキプレートとの繋ぎ部分が外れて全体が転倒したりすることがなく、作業者の安全を確保できる。
また、鉄筋架設具は、１本の金属棒の両端部を曲げたり、２本の金属棒を一体接合したりするだけの簡単の構造であるから、安価に製作でき、床構造材のコスト高を招くおそれがない。さらに、鉄筋架設具は、両端部の各係合部を鉄筋に簡単に係合させることができ、しかも、その係合作業だけで鉄筋架設具を架設できるので、作業に手数がかからない。
【図面の簡単な説明】
【００１７】
【図１】この発明の一実施例である床構造材の正面図である。
【図２】図１の床構造材の平面図である。
【図３】一側端部の鉄筋トラス付きデッキプレートを示す正面図である。
【図４】一側端部の鉄筋トラス付きデッキプレートの他の例を示す正面図である。
【図５】鉄筋架設具の構成を示す正面図である。
【図６】図５の鉄筋架設具の平面図である。
【図７】第１の係合部の他の例を示す正面図である。
【図８】第２の係合部の他の例を示す背面図である。
【図９】鉄筋架設具の他の実施例の構成を示す斜視図である。
【図１０】従来の鉄筋トラス付デッキプレートの正面図である。
【図１１】図８の鉄筋トラス付デッキプレートの側面図である。
【図１２】従来の床構造材の正面図である。
【発明を実施するための形態】
【００１８】
図１および図２は、この発明の一実施例である床構造材の構成を示している。図示の床構造材は、３本の鉄筋トラス３が並設された複数の鉄筋トラス付きデッキプレート１，１を横並びに連ねるとともに、その一側端部に１本の鉄筋トラス３Ｒを有する鉄筋トラス付きデッキプレート１Ｒを連ねて構成されている。
【００１９】
一側端部の鉄筋トラス付きデッキプレート１Ｒは、図３に示すように、３本の鉄筋トラス３が並設された鉄筋トラス付きデッキプレート１の基板２および各吊り筋３３を１本の鉄筋トラス３Ｒを残す所定の幅ｄ（ｄ＜Ｄ）に切断して形成されたものである。なお、一側端部の鉄筋トラス付きデッキプレート１Ｒとして、２本の鉄筋トラスを残す所定の幅に切断して形成されたものを用いることもでき、また、図４に示すように、さらに短い幅に切断されたものを用いることもできる。
【００２０】
鉄筋トラス付きデッキプレート１，１Ｒの基板２，２Ｒは亜鉛メッキ鋼板をもって形成されており、仮設時は鉄筋トラス３，３Ｒと協働して荷重を支持するとともに、流動性を有するコンクリートがこぼれないように保持する。基板２，２Ｒ上に設けられる図示の鉄筋トラス３，３Ｒは、図８および図９に示した従来例と同様の構成であり、ここでは対応する構成に同一の符号を付することで説明を省略するが、鉄筋トラス付きデッキプレート１，１Ｒとして、異なる構成の鉄筋トラスが設けられたものを用いることもできる。
なお、図２において、１１は上端が鉄筋トラス３，３Ｒの上端筋３０，３０Ｒに、下端が基板２，２Ｒに、それぞれ固着された端部材である。
【００２１】
一側端部の鉄筋トラス３Ｒの上端筋３０Ｒと隣の鉄筋トラス３の上端筋３０との間に複数の鉄筋架設具４が架設されている。
各鉄筋架設具４は、図５および図６に示すように、１本の金属棒４０の両端部をそれぞれ固有の形態に曲げて形成されたものである。図示例の鉄筋架設具４は、鉄筋トラス３Ｒ，３の配列間隔ｓに応じた長さの真っ直ぐなアーム５と、アーム５の両端部に形成された第１、第２の各係合部６，７とを一体に備えている。
【００２２】
第１、第２の各係合部６，７は、鉄筋トラス３Ｒ，３の上端筋３０Ｒ，３０とそれぞれ係脱が可能な構成のものである。図示例では、第１の係合部６を鉄筋トラス３Ｒの上端筋３０Ｒに、第２の係合部７を鉄筋トラス３の上端筋３０に、それぞれ係合させているが、第１の係合部６を鉄筋トラス３の上端筋３０に、第２の係合部７を鉄筋トラス３Ｒの上端筋３０Ｒに、それぞれ係合させてもよい。
【００２３】
第１の係合部６は、金属棒４０の一端部を長さ方向に対して鋭角（例えば８０度）の曲げ角度θに折り曲げかつ折り返すことにより形成されたＵ字溝６０により構成されている。このＵ字溝６０は上端筋３０Ｒの挿脱が可能なように上端筋３０Ｒの直径ｒに合わせた溝幅ｗ（ｗ＞ｒ）と、上端筋３０Ｒが容易に抜け出ないように上端筋３０Ｒの直径ｒの少なくとも２倍の溝深さｖ（ｖ≧２ｒ）とを有している。なお、第１の係合部６のＵ字溝６０は溝底形状が必ずしも円弧状である必要はなく、図７に示すように、矩形状であってもよい。
【００２４】
第２の係合部７は、アーム５の長さ方向と直交する方向であって、かつ第１の係合部６と直角をなす方向へ螺旋を巻くようにほぼ一周曲げて形成された螺旋孔７０により構成されている。この螺旋孔７０は、上端筋３０の挿脱が可能なように上端筋３０の直径ｒに合わせた孔径ｑとピッチｐ（ｑ，ｐ≧ｒ）とを有している。なお、第２の係合部７の螺旋孔７０は孔形状が必ずしも円形である必要はなく、図８に示すように、矩形状であってもよい。
【００２５】
図９は、鉄筋架設具４の他の実施例を示すもので、コ字型の２本の金属棒４１ａ，４１ｂを長さ方向へずれさせた状態で一体接合して形成されている。図示例の鉄筋架設具４は、鉄筋トラス３Ｒ，３の配列間隔ｓに応じた長さの真っ直ぐなアーム８と、アーム８の両端部に形成された係合部９，９とを一体に備えている。
【００２６】
各金属棒４１ａ，４１ｂは互いに平行な折曲部４２，４３をそれぞれ有しており、各係合部９は、各金属棒４１ａ，４１ｂの折曲部４２，４２間および４３，４３間にそれぞれ形成された矩形溝９０により構成されている。各矩形溝９０は上端筋３０Ｒ，３０の挿脱が可能なように上端筋３０Ｒ，３０の直径ｒに合わせた溝幅ｚ（ｚ＞ｒ）と上端筋３０Ｒ，３０の直径ｒの少なくとも２倍の溝深さｙ（ｙ≧２ｒ）とを有している。
【００２７】
床構造材の構築に際し、複数の鉄筋トラス付きデッキプレート１，１Ｒを横並びに連ねると、連なった基板２，２Ｒ上に複数の鉄筋トラス３，３Ｒが並列に配列される。幅の短い一側端部の鉄筋トラス付きデッキプレート１Ｒの鉄筋トラス３Ｒの上端筋３０Ｒと隣の鉄筋トラス付きデッキプレート１の鉄筋トラス３の上端筋３０との間には複数の鉄筋架設具４が一定間隔で架設される。
【００２８】
図５，６に示す鉄筋架設具４を架設するには、まず、第２の係合部７を一方の鉄筋トラス３の上端筋３０に係合させる。第２の係合部７の螺旋孔７０は孔径ｑとピッチｐとを上端筋３０の直径ｒに合わせて、螺旋孔７０に上端筋３０を導入して係入することが可能に形成されている。係入後、上端筋３０は螺旋孔７０を貫通し、アーム５は上端筋３０と直交する（図６に示す状態）。このとき、第１の係合部６は隣の鉄筋トラス３Ｒの上方に位置し、Ｕ字溝６０は斜め下方を向き、上端筋３０Ｒと対向している（図５の一点鎖線Ａで示す状態）。
【００２９】
第２の係合部７が係合した上端筋３０を軸としてアーム５を回動させると、Ｕ字溝６０に上端筋３０Ｒが入り込み（図５の一点鎖線Ｂで示す状態）、さらにアーム５を回動させると、上端筋３０ＲはＵ字溝６０の溝底まで達する。上端筋３０ＲがＵ字溝６０のほぼ中央部に入り込んだ状態、すなわち、図５の一点鎖線Ｂで示す状態のとき、Ｕ字溝６０はほぼ真下を向いている。上端筋３０ＲがＵ字溝６０の溝底まで達した状態、すなわち、図５の実線で示す状態のとき、Ｕ字溝６０は斜め下方を向き、第１の係合部６と上端筋３０Ｒとが係合している。
【００３０】
鉄筋トラス３，３Ｒの上端筋３０，３０Ｒ間に複数の鉄筋架設具４が架設された状態では、鉄筋架設具４により鉄筋トラス３Ｒは隣の鉄筋トラス３に拘束される。各鉄筋架設具４のアーム５は、長さ方向に沿って圧縮方向や引張方向の荷重が作用しても協働して耐えるので、作業者が一側端部の鉄筋トラス付きデッキプレート１Ｒの鉄筋トラス３Ｒの上端筋３０Ｒ上を歩行しても、鉄筋トラス３Ｒが押し倒されたり、隣の鉄筋トラス付きデッキプレート１との繋ぎ部分が外れて全体が転倒したりすることがない。
【００３１】
図９に示す実施例の鉄筋架設具４を架設するには、隣り合う鉄筋トラス３，３Ｒの一方の上端筋３０の上方に一方の係合部９を、他方の上端筋３０Ｒの上方に他方の係合部９を、それぞれ位置させた後、鉄筋架設具４を下方へ移動させると、各係合部９の矩形溝９０に各上端筋３０，３０Ｒが嵌り込み、各上端筋３０，３０Ｒと各係合部９とがそれぞれ係合する。
【００３２】
鉄筋トラス３，３Ｒの上端筋３０，３０Ｒ間に複数の鉄筋架設具４が架設された状態では、鉄筋架設具４により鉄筋トラス３Ｒが隣の鉄筋トラス３に拘束される。各鉄筋架設具４のアーム８は、長さ方向に沿って圧縮方向や引張方向の荷重が作用しても協働して耐えるので、作業者が一側端部の鉄筋トラス付きデッキプレート１Ｒの鉄筋トラス３Ｒの上端筋３０Ｒ上を歩行しても、鉄筋トラス３Ｒが押し倒されたり、隣の鉄筋トラス付きデッキプレート１との繋ぎ部分が外れて全体が転倒したりすることがない。
【符号の説明】
【００３３】
１，１Ｒ  鉄筋トラス付デッキプレート
２，２Ｒ  基板
３，３Ｒ  トラス
４    鉄筋架設具
５    アーム
６    第１の係合部
７    第２の係合部
８    アーム
９    係合部
３０，３０Ｒ  上端筋
４０，４１ａ，４１ｂ  金属棒
４２，４３  折曲部
６０  Ｕ字溝
７０  螺旋孔
９０  矩形溝
【図１】
2011026820.tif 000003
【図２】
2011026820.tif 000004
【図３】
2011026820.tif 000005
【図４】
2011026820.tif 000006
【図５】
2011026820.tif 000007
【図６】
2011026820.tif 000008
【図７】
2011026820.tif 000009
【図８】
2011026820.tif 000010
【図９】
2011026820.tif 000011
【図１０】
2011026820.tif 000012
【図１１】
2011026820.tif 000013
【図１２】
2011026820.tif 000014
【手続補正書】
【提出日】平成21年7月30日(2009.7.30)
【手続補正１】
【補正対象書類名】明細書
【補正対象項目名】００２０
【補正方法】変更
【補正の内容】
【００２０】
鉄筋トラス付きデッキプレート１，１Ｒの基板２，２Ｒは亜鉛メッキ鋼板をもって形成されており、仮設時は鉄筋トラス３，３Ｒと協働して荷重を支持するとともに、流動性を有するコンクリートがこぼれないように保持する。基板２，２Ｒ上に設けられる図示の鉄筋トラス３，３Ｒは、図８および図９に示した従来例と同様の構成であり、ここでは対応する構成に同一の符号を付することで説明を省略するが、鉄筋トラス付きデッキプレート１，１Ｒとして、異なる構成の鉄筋トラスが設けられたものを用いることもできる。
なお、図２において、１１は上端部が鉄筋トラス３，３Ｒの上端筋３０，３０Ｒに、下端部が下端筋３１に、それぞれ固着された端部材である。